(57)【要約】【課題】自爪や付け爪に装飾を行ったり、付け爪の接着，損傷した爪の補修を行うときに、発生した微粉や異臭を効果的に除去することのできるネイルアート装置を提供する。【解決手段】ネイルアートの作業を行うための作業領域５を備えた作業台３上の前記作業領域５の一側方に、前記作業領域５へ向って送風を行う送風手段７を備え、前記作業領域５の他側方に、前記送風手段７から送風された空気を吸引するための吸引手段９を備え、かつ前記作業領域５の上方位置に、前記作業領域５へ向って下方向に送風するための下方向送風手段１１を備えており、前記下方向送風手段１１は、前記作業領域５を照明するための照明手段３３を備えている。そして、前記下方向送風手段１１からの空気の流れは、前記送風手段７から前記吸引手段９に至る空気の流れを乱すことのないように弱い空気の流れであり、前記送風手段７から前記吸引手段９に至る空気の流れは層流である。【選択図】図１
2007136099.tif 000002
【特許請求の範囲】
【請求項１】
ネイルアートの作業を行うための作業領域を備えた作業台上の前記作業領域の一側方に、前記作業領域へ向って送風を行う送風手段を備え、前記作業領域の他側方に、前記送風手段から送風された空気を吸引するための吸引手段を備え、かつ前記作業領域の上方位置に、前記作業領域へ向って下方向に送風するための下方向送風手段を備えていることを特徴とするネイルアート装置。
【請求項２】
請求項１に記載のネイルアート装置において、前記下方向送風手段は、前記作業領域を照明するための照明手段を備えていることを特徴とするネイルアート装置。
【請求項３】
請求項１又は２に記載のネイルアート装置において、前記下方向送風手段からの空気の流れは、前記送風手段から前記吸引手段に至る空気の流れを乱すことのないように弱い空気の流れであることを特徴とするネイルアート装置。
【請求項４】
請求項１，２又は３に記載のネイルアート装置において、前記送風手段から前記吸引手段に至る空気の流れは層流であることを特徴とするネイルアート装置。
【発明の詳細な説明】
【技術分野】
【０００１】
本発明は、自爪やネイルチップ（付け爪）に装飾を行ったり、自爪に対する付け爪の接着，損傷した爪の補修を行うなどの各種の作業、すなわちネイルアートの作業を行うときに使用するネイルアート装置に係り、さらに詳細には、ネイルアートの作業を行う作業者及びネイルアートを受ける被術者の保護を図ることのできるネイルアート装置に関する。
【背景技術】
【０００２】
自爪に対する装飾や自爪に対してネイルチップ（付け爪）の接着を行う場合、爪の表面をヤスリにて研磨することや、接着剤を爪の表面に塗布することが行われている。なお、本発明に関係あると思われる先行文献としては特許文献１，２，３等がある。
【特許文献１】特開２００４−３３４２２号公報
【特許文献２】特開平８−２３８１２１号公報
【特許文献３】特開２００４−２５４８７７号公報
【発明の開示】
【発明が解決しようとする課題】
【０００３】
従来、例えば自爪に対してネイルチップを接着する場合、爪の表面をヤスリにて研磨することや接着剤を塗布することが行われている。このようにヤスリにて爪を研磨すると、研磨によって生じた微粉が舞い上がることや、接着剤の揮発成分が周囲に漂うことがある。したがって、ネイルアートの作業を行う作業者や、ネイルアートの作業を受ける被術者が前記微粉を吸い込むことや、接着剤の異臭を吸い込むことがある。
【課題を解決するための手段】
【０００４】
本発明は、前述のごとき従来の問題に鑑みてなされたもので、ネイルアートの作業を行うための作業領域を備えた作業台上の前記作業領域の一側方に、前記作業領域へ向って送風を行う送風手段を備え、前記作業領域の他側方に、前記送風手段から送風された空気を吸引するための吸引手段を備え、かつ前記作業領域の上方位置に、前記作業領域へ向って下方向に送風するための下方向送風手段を備えていることを特徴とするものである。
【０００５】
また、前記ネイルアート装置において、前記下方向送風手段は、前記作業領域を照明するための照明手段を備えていることを特徴とするものである。
【０００６】
また、前記ネイルアート装置において、前記下方向送風手段からの空気の流れは、前記送風手段から前記吸引手段に至る空気の流れを乱すことのないように弱い空気の流れであることを特徴とするものである。
【０００７】
また、前記ネイルアート装置において、前記送風手段から前記吸引手段に至る空気の流れは層流であることを特徴とするものである。
【発明の効果】
【０００８】
本発明によれば、作業領域内において、例えば爪にヤスリ掛けを行って研磨加工などのネイルアート作業を行ったときに生じた微粉は、下方向送風手段によって下方向へ送風される空気の流れによって舞い上がることが抑制され、かつ送風手段から送風される空気の流れによって吸引手段側へ流されると共に吸引手段によって吸引されるので、ネイルアート作業によって生じた微粉が前記作業領域から周囲に飛散し舞い上がることを効果的に防止できるものである。
【発明を実施するための最良の形態】
【０００９】
図１を参照するに、本発明の実施形態に係るネイルアート装置１は、例えばテーブル等のごとき適宜構成の作業台３を備えている。この作業台３の上面のほぼ中央部には、作業領域５（図２参照）が設けられている。この作業領域は、例えば自爪やネイルチップ（付け爪）に装飾を行ったり、自爪に対するネイルチップの接着、損傷した爪の補修などの各種のネイルアートの作業を行う領域である。
【００１０】
上記作業領域５の一側方（図２において左側）には、上記作業領域５へ向って送風を行うための送風手段７が配置してあり、前記作業領域５の他側方（図２において右側）には、前記送風手段７から送風された空気を吸引するための吸引手段９が配置してある。さらに、前記作業領域５の上方位置には、前記作業領域５へ向って下方向に送風するための下方向送風手段１１が配置してある。
【００１１】
前記送風手段７は、前記作業台３の上面に沿って前記作業領域５の方向へ水平に送風を行う作用をなすものであって、この送風手段７におけるケーシング１３の内部には、例えばシロッコファン等のごとき適宜の送風機１５を備えている。そして、前記送風機１５から送風される出口には、外部へ送風される空気の流れが層流をなすように、ハニカム構造体１７が設けられている。
【００１２】
したがって、前記送風手段７から前記作業領域５へ指向して水平に送風される空気流は層流をなすものであり、前記作業領域５において生じた微粉等を下流側へ効果的に流し去ることができるものである。
【００１３】
前記吸引手段９は、前記送風手段７から前記作業領域５へ指向して送風された空気を吸引する作用をなすもので、この吸引手段９のケーシング１９内には吸引作用を行うブロワ２１が備えられていると共に、吸引した空気中の微粉を除去するためのフィルタ２３及び空気中の異臭を吸着するための活性炭などの異臭吸着剤を備えた脱臭フィルタ２５を備えている。
【００１４】
したがって、前記吸引手段９に吸引された空気中の微粉はフィルタ２３によって除去され、かつ空気中の異臭は脱臭フィルタ２５によって除去される。よって、前記作業領域５において微粉や異臭が発生した場合、前記送風手段７との協働により、前記微粉や異臭を効果的に除去することができ、周囲の環境を良好に維持することができるものである。
【００１５】
前記下方向送風手段１１は、スタンド１１Ｓを介して作業台３に取付けてある。この下方向送風手段１１は、前記作業領域５へ向って下方向へ送風を行うと共に前記作業領域５の照明を行う作用をなすものである。より詳細には、前記下方向送風手段１１におけるケーシング２７内には送風ファン２９が備えられており、この送風ファン２９からの空気流の出口３１には、空気の流れを層流にするためのハニカム構造体が備えられている。そして、前記出口３１の周囲には、多数の発光素子（ＬＥＤ）を配置した照明領域３３が設けてある。なお、上記ＬＥＤは白色発光の発光ダイオードである。
【００１６】
以上のごとき構成において、自爪に対してネイルチップを接着するようなときには、先ず、被術者における指先の爪を作業領域５においてヤスリ等において研磨し、かつ接着剤を塗布してネイルチップを接着するものである。前述のように爪を研磨したり、爪に接着剤を塗布すると、微粉や異臭が生じ周囲に飛散する傾向にある。
【００１７】
しかし、本実施形態においては、前記作業領域５に対して、送風手段７から作業台３の上面に平行に層流の空気流が送風され、吸引手段９によって空気流が吸引されて、空気流中の微粉や異臭が除去されるものである。この際、前記送風手段７からの送風はハニカム構造体１７によって層流にされているので、前記作業領域５において作業者及び被術者の手に当たった場合でも、空気流は大きく乱れるようなことはないものである。
【００１８】
そして、前記作業領域５の下流側において、吸引手段９が前記送風手段７からの送風を積極的に吸引しているので、前記作業領域５において空気流に多少の乱れが生じた場合であっても、前記作業領域５において発生した微粉や異臭の吸引を効果的に行うことができるものである。
【００１９】
さらに、前記作業領域５の上方に配置した下方向送風手段１１から作業領域５へ指向して下向きに送風が行われるので、作業領域５においての空気流の多少の乱れによって微粉や異臭が舞い上がる傾向にある場合であっても、前記微粉や異臭の舞い上りを効果的に抑制することができるものである。なお、前記下方向送風手段１１からの下方向への送風は、前記送風手段７から前記吸引手段９側へ送風される層流を乱すことのない程度に弱い空気流であるが、前記作業領域５からの微粉や異臭の舞い上りを抑制することができるものである。
【００２０】
前記下方向送風手段１１から下方向に送風するときには、照明手段として照明領域３３に備えたＬＥＤによって作業領域５の照明が行われる。この際、照明は白色発光のＬＥＤによって行われるものであるから、例えば作業者又は被術者の頭が下方向送風手段１１に近接した場合であっても熱くないものである。しかもネイルチップを接着するための接着剤或は爪，ネイルチップの装飾を行うための塗料等が紫外線硬化性の特性を有する場合であっても、白色発光のＬＥＤであることにより、紫外線を照射するようなことがなく安心して使用することができるものである。
【００２１】
以上のごとき説明より理解されるように、作業領域５において、自爪やネイルチップに装飾を行ったり、自爪に対してネイルチップを接着し、また損傷した爪の補修を行なうなどの各種のネイルアートの作業を行うとき、前記作業領域５において発生した微粉や異臭の舞い上りを効果的に防止して吸引手段９によって効果的に吸引することができるものである。したがって、作業者やネイルアートを受ける被術者を、微粉や異臭から保護することができるものである。
【００２２】
なお、本発明は、前述のごとき実施形態に限ることなく、適宜の変更を行うことにより、その他の態様でも実施可能である。すなわち、作業領域５の下側又は作業領域５よりも下流側において作業台３の上面に、吸引口を開口した吸引手段を、さらに設ける構成とすることも可能である。また、前記送風手段７，吸引手段９及び下方向送風手段１１を作業台３に予め一体的に組み合せた構成とすることや、ネイルアート作業を行うときに、前記送風手段７，吸引手段９及び下方向送風手段１１を、作業台３上の作業領域５の周囲に個別に配置する構成とすることも可能である。さらには、作業台をテーブル上に載置自在な盤状の構成とし、この盤状の作業台に対して前記送風手段７，吸引手段９及び下方向送風手段１１を予めセットした構成、或は必要に応じてセットする構成とすることも可能である。
【図面の簡単な説明】
【００２３】
【図１】本発明の実施形態に係るネイルアート装置を概念的，概略的に示した斜視説明図である。
【図２】ネイルアート装置を構成する送風手段，吸引手段及び下方向送風手段の配置位置関係を概略的，概念的に示した説明図である。
【符号の説明】
【００２４】
１    ネイルアート装置
３    作業台
５    作業領域
７    送風手段
９    吸引手段
１１    下方向送風手段
１５    送風機
１７    ハニカム構造体
２１    ブロワ
２３    フイルタ
２５    脱臭フィルタ
２９    送風ファン
３１    出口
３３    照明領域（照明手段）
【図１】
2007136099.tif 000003
【図２】
2007136099.tif 000004